(57)【要約】【課題】    本発明の目的は、アウトソールの突出部を変形し易くすると共に、耐久性を向上させた履き物用アウトソール及び該履き物用アウトソールを形成する履き物用アウトソールの形成方法を提供するものである。【解決手段】    履き物用アウトソールＳは、樹脂製のベース部１と、この樹脂製のベース部１から地面側に向かって突出して設けられた複数の樹脂製の突出柱２と、この複数の樹脂製の突出柱２のそれぞれの先端に設けられた外側へ張り出す複数の樹脂製の張出部３とを備えたものである。【選択図】図１
2016028619.tif 000002
【特許請求の範囲】
【請求項１】
樹脂製のベース部と、
この樹脂製のベース部から地面側に向かって突出して設けられた複数の樹脂製の突出柱と、
この複数の樹脂製の突出柱のそれぞれの先端に設けられた外側へ張り出す複数の樹脂製の張出部とを備え、
この樹脂製の張出部の張り出す方向と前記樹脂製の突出柱の前記樹脂製のベース部からの突出する方向とが略直角の関係にあり、
この複数の樹脂製の張出部の先端面が地面に当接する
ことを特徴とする履き物用アウトソール。
【請求項２】
長手方向に長い複数の凸部を有した第１の型と、
この第１の型に対向して設けられた第２の型と、
前記第１の型の隣接する前記凸部と前記凸部との間に形成された凹部と、
前記凹部の開口部を狭めるように前記凹部に隣接する前記凸部に配置された長手方向に長い長手形状部材とを備え、
前記第２の型と前記第１の型を当接した際、前記第２の型に当接する前記第１の型の当接する面は第１の面であり、前記凸部の先端面にそれぞれ前記長手形状部材を当接させた際、前記凸部の先端面に当接する前記長手形状部材の面は第２の面であり、前記長手形状部材の前記第２の面と反対側の面は第３の面であり、前記第３の面に対向する前記第２の型の面は第４の面であり、前記凹部の底の面は第５の面であり、
隣接する前記第３の面に沿って延長して形成される面は第１の仮想面であり、
隣接する前記第２の面に沿って延長して形成される面は第２の仮想面であり、
前記凸部の先端面にそれぞれ前記長手形状部材を当接させ、その後、前記第２の型と前記第１の型を当接して、前記第１の仮想面と前記第４の面との間隙部を履き物用アウトソールのベース形成部に、隣接する前記長手形状部材の対向する間隙部を履き物用アウトソールの突出柱形成部に、前記第２の仮想面と前記第５の面との間隙部を履き物用アウトソールの張出形成部にそれぞれ形成し、
前記第２の型と前記第１の型の間隙に樹脂を流し込んで湾曲自在な履き物用アウトソールを形成し、
形成した後、前記第２の型と前記第１の型とを離間させ、
離間した後、前記第１の型から前記履き物用アウトソールを取り出し、
取り出した後、前記履き物用アウトソールを曲げて、前記履き物用アウトソールから前記長手形状部材を離脱させて、履き物用アウトソールを形成する
ことを特徴とする履き物用アウトソールの形成方法。
【請求項３】
樹脂製のベース部と、
この樹脂製のベース部に一体的に設けられ、前記樹脂製のベース部から地面側に向かって漸次太くなった先太状の複数の樹脂製の突起とを設け、
この複数の樹脂製の突起の先端面が地面に当接する
ことを特徴とする履き物用アウトソール。
【発明の詳細な説明】
【技術分野】
【０００１】
本発明は、履き物用アウトソール及び履き物用アウトソールの形成方法に係り、特に、アウトソールの突出部を変形し易くすると共に、耐久性を向上させた履き物用アウトソール及び該履き物用アウトソールを形成する履き物用アウトソールの形成方法に関する。
【背景技術】
【０００２】
従来、履き物用アウトソールの地面側に向かって突出する突出部は、突出部を横断する断面積が均一に形成されている為、耐滑性は主に素材及び突出部の形状（パターン）に依存する。一般的に体重移動に対して突出部素材が軟質な場合に、履物としての耐滑性が良い。つまり、滑りにくい。
【先行技術文献】
【特許文献】
【０００３】
【特許文献１】特許第４０４３７８１号公報（図４参照）
【発明の概要】
【発明が解決しようとする課題】
【０００４】
アウトソールの材質を柔らかい素材で形成すると、耐滑性が向上するが、摩耗に対して弱く、耐久性が良くないという問題点が生じた。
【０００５】
本発明は、前記問題点を考慮したなされた履き物用アウトソール及び履き物用アウトソールの形成方法を提供することを目的とする。
【課題を解決するための手段】
【０００６】
請求項１記載の履き物用アウトソールは、樹脂製のベース部と、この樹脂製のベース部から地面側に向かって突出して設けられた複数の樹脂製の突出柱と、この複数の樹脂製の突出柱のそれぞれの先端に設けられた外側へ張り出す複数の樹脂製の張出部とを備え、この樹脂製の張出部の張り出す方向と前記樹脂製の突出柱の前記樹脂製のベース部からの突出する方向とが略直角の関係にあり、この複数の樹脂製の張出部の先端面が地面に当接するものである。
【０００７】
また、請求項２記載の履き物用アウトソールの形成方法は、長手方向に長い複数の凸部を有した第１の型と、この第１の型に対向して設けられた第２の型と、前記第１の型の隣接する前記凸部と前記凸部との間に形成された凹部と、前記凹部の開口部を狭めるように前記凹部に隣接する前記凸部に配置された長手方向に長い長手形状部材とを備え、前記第２の型と前記第１の型を当接した際、前記第２の型に当接する前記第１の型の当接する面は第１の面であり、前記凸部の先端面にそれぞれ前記長手形状部材を当接させた際、前記凸部の先端面に当接する前記長手形状部材の面は第２の面であり、前記長手形状部材の前記第２の面と反対側の面は第３の面であり、前記第３の面に対向する前記第２の型の面は第４の面であり、前記凹部の底の面は第５の面であり、隣接する前記第３の面に沿って延長して形成される面は第１の仮想面であり、隣接する前記第２の面に沿って延長して形成される面は第２の仮想面であり、前記凸部の先端面にそれぞれ前記長手形状部材を当接させ、その後、前記第２の型と前記第１の型を当接して、前記第１の仮想面と前記第４の面との間隙部を履き物用アウトソールのベース形成部に、隣接する前記長手形状部材の対向する間隙部を履き物用アウトソールの突出柱形成部に、前記第２の仮想面と前記第５の面との間隙部を履き物用アウトソールの張出形成部にそれぞれ形成し、前記第２の型と前記第１の型の間隙に樹脂を流し込んで湾曲自在な履き物用アウトソールを形成し、形成した後、前記第２の型と前記第１の型とを離間させ、離間した後、前記第１の型から前記履き物用アウトソールを取り出し、取り出した後、前記履き物用アウトソールを曲げて、前記履き物用アウトソールから前記長手形状部材を離脱させて、履き物用アウトソールを形成するものである。
【０００８】
また、請求項３記載の履き物用アウトソールは、樹脂製のベース部と、この樹脂製のベース部に一体的に設けられ、前記樹脂製のベース部から地面側に向かって漸次太くなった先太状の複数の樹脂製の突起とを設け、この複数の樹脂製の突起の先端面が地面に当接するものである。
【発明の効果】
【０００９】
請求項１記載の履き物用アウトソールによれば、複数の樹脂製の突出柱のそれぞれの先端に設けられた外側へ張り出す複数の樹脂製の張出部の先端面が地面に当接するため、張出部の先端面の面積が同一で、断面積が均一な突出部を有したもの、つまり、張出部のない断面積が均一な突出部に比べ、より変形し易く、体重移動に対して追随し、滑りにくい履き物を得ることができ、変形し易い分、硬度が硬い素材をも使用することができ、摩耗が少なく、耐久性を向上させた履き物を得ることができる。
【００１０】
また、請求項２記載の履き物用アウトソールの形成方法によれば、凸部の先端面にそれぞれ長手形状部材を当接させ、その後、第２の型と第１の型を当接して、第１の仮想面と第４の面との間隙部を履き物用アウトソールのベース形成部に、隣接する前記長手形状部材の対向する間隙部を履き物用アウトソールの突出柱形成部に、第２の仮想面と第５の面との間隙部を履き物用アウトソールの張出形成部にそれぞれ形成し、前記第２の型と前記第１の型の間隙に樹脂を流し込んで湾曲自在な履き物用アウトソールを形成し、形成した後、前記第２の型と前記第１の型とを離間させ、離間した後、前記第１の型から前記履き物用アウトソールを取り出し、取り出した後、前記履き物用アウトソールを曲げて、前記履き物用アウトソールから前記長手形状部材を離脱させるから、複数の樹脂製の突出柱のそれぞれの先端に設けられた外側へ張り出す複数の樹脂製の張出部を有する履き物用アウトソールを形成することができる。
【００１１】
また、請求項３記載の履き物用アウトソールによれば、樹脂製のベース部に一体的に設けられ、前記樹脂製のベース部から地面側に向かって漸次太くなった先太状の複数の樹脂製の突起とを設け、この複数の樹脂製の突起の先端面が地面に当接するため、
突起の先端面の面積が同一で、断面積が均一な突出部を有したものに比べ、より変形し易く、体重移動に対して追随し、滑りにくい履き物を得ることができ、変形し易い分、硬度が硬い素材をも使用することができ、摩耗が少なく、耐久性を向上させた履き物を得ることができる。
【図面の簡単な説明】
【００１２】
【図１】図１は、本発明の一実施例の履き物用アウトソールを装着した履物を裏面から見た概略的斜視図である。
【図２】図２は、図１の履き物用アウトソールの一部概略的斜視図である。
【図３】図３（ａ）は、図２の履き物用アウトソールの一部概略的断面図であり、図３（ｂ）は、図３（ａ）の概略的底面図である。
【図４】図４は、図１の履き物用アウトソールを形成する履き物用アウトソールの形成方法に使用される型の概略的断面図である。
【図５】図５は、図４の長手形状部材の概略的斜視図である。
【図６】図６は、図４の第２の型と第１の型を当接した状態の概略的断面図である。
【図７】図７は、図６の型に樹脂を流し込み、該樹脂を硬化させた状態の概略的断面図である。
【図８】図８は、図７の第２の型と第１の型を離間させた状態の概略的断面図である。
【図９】図９は、図８の履き物用アウトソールを型から取り出し、履き物用アウトソールを曲げて、前記履き物用アウトソールから長手形状部材を離脱させる状態の概略的斜視図である。
【図１０】図１０は、図３の履き物用アウトソールと異なる他の実施例の履き物用アウトソールの概略的断面図である。
【発明を実施するための形態】
【００１３】
本発明の一実施例の履き物用アウトソール及び履き物用アウトソールの形成方法を図面（図１乃至図３）を参照して説明する。
【００１４】
図１乃至図３に示すＳは、履き物（例えば、サンダル）に使用される履き物用アウトソールで、履き物用アウトソールＳは、樹脂製のベース部１と、この樹脂製のベース部１から地面側に向かって突出して設けられた複数の樹脂製の突出柱２と、この複数の樹脂製の突出柱２のそれぞれの先端に設けられた外側へ張り出す複数の樹脂製の張出部３とを備えている。
上述した樹脂は、例えば、ラバー、発泡ラバー、ポリウレタン、ＳＥＢＳ、その他エラスチックな素材であり、樹脂の硬度は、手で湾曲自在にできる程度の硬度である。
そして、樹脂製の張出部３の張り出す方向と樹脂製の突出柱２の樹脂製のベース部１からの突出する方向とが略直角の関係にあり、この複数の樹脂製の張出部３の先端面３ａが地面に当接するようになっている。なお、樹脂製の突出柱２は、底面視で樹脂製の張出部３の内方に位置している［図３（ｂ）参照］。また、先端面３ａの形状は、本実施例では、六角形となっているが、本願発明にあっては、これに限らず、六角形以外の多角形でも、円、楕円等でも良いことは勿論のことである。。
【００１５】
従って、上述した履き物用アウトソールＳによれば、複数の樹脂製の突出柱２のそれぞれの先端に設けられた外側へ張り出す複数の樹脂製の張出部３の先端面３ａが地面に当接するため、張出部３の先端面３ａの面積が同一で、断面積が均一な突出部を有したもの、つまり、張出部のない断面積が均一な突出部に比べ、より変形し易く、体重移動に対して追随し、滑りにくい履き物を得ることができ、変形し易い分、硬度が硬い素材をも使用することができ、摩耗が少なく、耐久性を向上させた履き物を得ることができる。
【００１６】
上述した履き物用アウトソールＳは、次のようにして形成することができる（図４乃至図９参照）。
図４に示す１０は、長手方向に長い複数の凸部１０ａを有した第１の型で、２０は、第１の型１０に対向して設けられた第２の型である。
１０ｂは、第１の型１０の隣接する凸部１０ａと凸部１０ａとの間に形成された凹部である。
３０は、凹部１０ｂの開口部１０ｂ１を狭めるように凹部１０ｂに隣接する凸部１０ｂに配置された長手方向に長い長手形状部材である。
【００１７】
そして、第２の型２０と第１の型１０を当接した際、第２の型２０に当接する第１の型１０の当接する面は第１の面１０Ａ、１０Ａ(図４参照)であり、凸部１０ａの先端面にそれぞれ長手形状部材３０を当接させた際、凸部１０ａの先端面に当接する長手形状部材３０の面は第２の面３０Ａであり、長手形状部材３０の第２の面３０Ａと反対側の面は第３の面３０Ｂであり、第３の面３０Ｂに対向する第２の型２０の面は第４の面２０Ａであり、凹部１０ｂの底の面は第５の面１０ｂＡであり、隣接する第３の面３０Ｂに沿って延長して形成される面は第１の仮想面Ｘであり、隣接する第２の面３０Ａに沿って延長して形成される面は第２の仮想面Ｙである。
【００１８】
上述した履き物用アウトソールＳを形成するには、先ず、凸部１０ａの先端面にそれぞれ長手形状部材３０を当接させ、その後、第２の型２０と第１の型１０を当接して、第１の仮想面Ｘと第４の面２０Ａとの間隙部Ｓ１を履き物用アウトソールのベース形成部１Ｘに、隣接する長手形状部材３０の対向する間隙部Ｓ２を履き物用アウトソールの突出柱形成部２Ｘに、第２の仮想面Ｙと第５の面１０ｂＡとの間隙部Ｓ３を履き物用アウトソールの張出形成部３Ｘにそれぞれ形成し（図６）、第２の型２０と第１の型１０の隙間に樹脂を流し込んで湾曲自在な履き物用アウトソールＳを形成する（図７）。
【００１９】
形成した後、第２の型２０と第１の型１０とを離間させる（図８）。離間した後、第１の型１０から履き物用アウトソールＳを取り出す。取り出し後、履き物用アウトソールＳを曲げて、履き物用アウトソールＳから長手形状部材３０を離脱させて、履き物用アウトソールＳを形成することができる（図９）。
【００２０】
従って、上述した履き物用アウトソールＳによれば、凸部１０ａの先端面にそれぞれ長手形状部材３０を当接させ、その後、第２の型２０と第１の型１０を当接して、第１の仮想面Ｘと第４の面２０Ａとの間隙部Ｓ１を履き物用アウトソールのベース形成部１Ｘに、隣接する長手形状部材３０の対向する間隙部Ｓ２を履き物用アウトソールの突出柱形成部２Ｘに、第２の仮想面Ｙと第５の面１０ｂＡとの間隙部Ｓ３を履き物用アウトソールの張出形成部３Ｘにそれぞれ形成し、第２の型２０と第１の型１０の間隙Ｓ１、Ｓ２、Ｓ３に樹脂を流し込んで湾曲自在な履き物用アウトソールＳを形成し、形成した後、第２の型２０と第１の型１０とを離間させ、離間した後、第１の型１０から履き物用アウトソールＳを取り出し、取り出した後、履き物用アウトソールＳを曲げて、履き物用アウトソールＳから長手形状部材３０を離脱させるから、複数の樹脂製の突出柱２のそれぞれの先端に設けられた外側へ張り出す複数の樹脂製の張出部３を有する履き物用アウトソールＳを形成することができる。
【００２１】
なお、上述した履き物用アウトソールＳにおいては、複数の樹脂製の突出柱２の先端から側方にそれぞれ張り出す複数の樹脂製の張出部３を設けているが、本願発明にあっては、これに限らず、樹脂製の張出部３の代わりに、樹脂製の突起４を設けるようにしても良い(図１０参照)。
【００２２】
即ち、履き物用アウトソールＳは、樹脂製のベース部１と、この樹脂製のベース部１に一体的に設けられ、樹脂製のベース部１から地面側に向かって漸次太くなった先太状の複数の樹脂製の突起４とを設け、この複数の樹脂製の突起４の先端面４ａが地面に当接するものである。
この履き物用アウトソールＳによれば、樹脂製のベース部に一体的に設けられ、樹脂製のベース部１から地面側に向かって漸次太くなった先太状の複数の樹脂製の突起４とを設け、この複数の樹脂製の突起４の先端面が地面に当接するため、突起４の先端面４ａの面積が同一で、断面積が均一な突出部を有したものに比べ、より変形し易く、体重移動に対して追随し、滑りにくい履き物を得ることができ、変形し易い分、硬度が硬い素材をも使用することができ、摩耗が少なく、耐久性を向上させた履き物を得ることができる。
【符号の説明】
【００２３】
Ｓ      履き物用アウトソール
１      樹脂製のベース部
２      樹脂製の突出柱
３      樹脂製の張出部
３ａ    先端面
【図１】
2016028619.tif 000003
【図２】
2016028619.tif 000004
【図３】
2016028619.tif 000005
【図４】
2016028619.tif 000006
【図６】
2016028619.tif 000007
【図７】
2016028619.tif 000008
【図８】
2016028619.tif 000009
【図９】
2016028619.tif 000010
【図１０】
2016028619.tif 000011
【図５】
2016028619.tif 000012